(57)【要約】  DVDレコーダ等のディスク駆動装置は，回転軸２'を持つターンテーブル３を有する。ターンテーブルに隣接して光ピックアップユニット４が供される。当該ユニットの高熱部品を冷却するために，冷却装置が冷たい空気の流れをこの光ピックアップユニットへと導く。この冷却装置は，ターンテーブルの回転軸と実質的に平行な回転軸５'を持つ遠心ブロア５を有する。前記ディスク駆動装置の高さ寸法内で当該ディスク駆動装置の側面に取り付けられたハウジング７内に，この遠心ブロア５は収容されている。この態様は，高い冷却能力と低いノイズレベルとを持ち，ディスク駆動装置の高さ寸法に影響を及ぼさない冷却装置となる。
2008530722.tif 000002
【特許請求の範囲】
【請求項１】
回転軸をもつターンテーブル，前記ターンテーブルに隣接した光ピックアップユニット，及び前記光ピックアップユニットに冷たい空気流を導くための冷却装置を有する光ディスク上でデータを読書きするためのディスク駆動装置であって，前記冷却装置は前記ターンテーブルの回転軸と実質的に平行な回転軸をもつ遠心ブロアを有するディスク駆動装置。
【請求項２】
前記ディスク駆動装置の高さ寸法内で当該ディスク駆動装置の側面に取付けられたハウジング内に前記遠心ブロアが収納されている，請求項１に記載のディスク駆動装置。
【請求項３】
前記遠心ブロアは直線状のファン羽根をもち，両側からの軸方向の空気取入れ口を含む，請求項１に記載のディスク駆動装置。
【請求項４】
前記遠心ブロアの前記回転軸は，当該遠心ブロアの収納されているハウジングに関して中心がずれた位置にある，請求項２に記載のディスク駆動装置。
【請求項５】
前記遠心ブロアには，前記光ピックアップユニットへと空気を導くための気流案内手段を含むファンプレートが取付けられている，請求項１〜４の一つに記載のディスク駆動装置。
【請求項６】
前記気流案内手段は，前記ファンプレートの内側に供されるリブを有する，請求項５に記載のディスク駆動装置。
【請求項７】
前記遠心ブロアの前記ハウジングは，前記ハウジングの一つの辺で前記ファンプレートと同一平面に取付けられている，請求項２に記載のディスク駆動装置。
【請求項８】
前記ファンプレートは前記ディスク駆動装置の前記ハウジングの一部である，請求項４に記載のディスク駆動装置。
【請求項９】
前記ファンプレート及び前記遠心ブロアの前記ハウジングは一体化部品を形成する，請求項５に記載のディスク駆動装置。
【請求項１０】
冷たい空気流を光ピックアップユニットへ導くためのディスク駆動装置の前記光ピックアップユニットの冷却装置であって，前記冷却装置は，回転軸をもつ遠心ブロアを収容するハウジングを有し，当該ハウジングは，前記遠心ブロアの回転軸が前記ディスク駆動装置のターンテーブルの回転軸と実質的に平行であるようこのハウジングを前記ディスク駆動装置へ取付けるための取付け手段をもつ冷却装置。
【発明の詳細な説明】
【技術分野】
【０００１】
本発明は，回転軸をもつターンテーブル，当該ターンテーブルに隣接して供される光ピックアップユニット，及び冷たい空気の流れをこの光ピックアップユニットに導く冷却装置を有する，ディスクにデータを読み書きするためのディスク駆動装置に関する。
【背景技術】
【０００２】
DVDレコーダ等の光ディスク駆動装置の性能を制限しているファクタの一つは，レーザダイオードの温度仕様である。書込み速度が増すと，必要とされるレーザパワー（ゆえにレーザの温度）は，同速度に従って増加されねばならない。現在，セットメーカーはセット内部の温度を下げるために外付けのファンを使わねばならない。前記ディスク駆動装置の熱を運び出すために，このファンは適切な場所に位置されねばならないので，外付けのファンはレコーダセットの設計に制限を課してしまう。外付けファンの直径によって，レコーダセットの高さもまた制限を受ける。斯様な従来技術のディスク駆動装置の例は，米国特許US-A-4,771,412及び日本特許公開広報JP-A-06236677にて開示されている。
【０００３】
別の解決が日本特許公開広報JP-A-2002184167で開示されていて，同特許公開広報では小さなファンが用いられている。適切な冷却効果を得るには，このファンは高速回転速度に設定されねばならず，これは騒音を引き起こす。そこで十分な冷却効果が得られているかどうかもまだ疑問である。
【発明の開示】
【発明が解決しようとする課題】
【０００４】
改善された冷却装置をもつ光ピックアップユニットを提供することが，本発明の目的である。
【課題を解決するための手段】
【０００５】
この目的を達成するために，本発明による光ピックアップユニットは，前記ターンテーブルの回転軸と実質的に平行である回転軸をもつ遠心ブロアを有する。
【０００６】
請求項１に記載のディスク駆動装置において，遠心ブロアの使用は，迷惑なファン騒音を生じることなく，かつこのディスク駆動装置の高さ寸法を増すことなく大量の冷たい気流が生成され得ることになる。この状況においては，請求項２の特徴を適用するのが好ましい。より良い冷却に起因して，DVDレコーダ等のディスク駆動装置の高温での性能が顕著に良くなる。
【０００７】
請求項３の実施例は，大量の冷たい気流を導く二つの側からの比較的大きな空気取り入れ口が生成され得る，という長所をもつ。
【０００８】
請求項４の実施例は，遠心空気流の出口の生成を自動的に導く。
【０００９】
請求項５の実施例においては，空気は光ピックアップユニットに向かって導かれ，従ってターンテーブルにより支持されているディスクからは離れる。この構造は，記録性能に影響するかも知れない回転しているディスクに伴う空気との干渉を避ける。
【００１０】
請求項１０に記載されているように，本発明は，冷たい空気流を光ピックアップユニットへと導くためのディスク駆動装置の光ピックアップユニット用冷却装置も含む。
【００１１】
本発明の以上及び他の態様及び長所は，図面を参照した以下の記述から明らかになろう。
【発明を実施するための最良の形態】
【００１２】
添付されている図は，本発明によるディスク駆動装置の好ましい実施例を示している。このディスク駆動装置は，DVDレコーダ等のディスク上でデータを読み書きする装置中で使われていて，同装置は光学的読取り及び/又は書込み部品，特にレーザダイオードによるオーディオ，ビデオ及び/又はデータ用ディスクの読取り及び/又は書込みに適している。
【００１３】
図1は斯様なディスク駆動装置を示しており，同装置はモータ1，このモータ1により駆動されるスピンドル２，及びこのスピンドル２に接続されているターンテーブル3を含む。このスピンドル２は，前記ターンテーブル３の回転軸２'  を決定する。このディスク駆動ユニットは，データをディスクDから読取り/ディスクD上へ書込むためのピックアップユニットを含む光学システム４もまた含んでいる。このピックアップユニットは前記ターンテーブルに隣接して供されており，ターンテーブルに対して移動することが出来る。前記光学システム４はレーザダイオード及びレンズを含んでいる。システムが使用中のときには，ディスク（図示せず）はターンテーブル３により支持されている。この目的のため，駆動されるために，ディスクはターンテーブル3によって係合されるクランピング領域を持っている。
【００１４】
実際には前記光学システムのレーザは大変熱くなり，高い性能で動作するために冷却を要する。従って本発明は，この実施例において遠心ブロアファン５の形状をした冷却装置を提供する。このブロア５は，ターンテーブル3の回転軸２′に平行な回転軸５'をもつ。ブロア軸のこの配置のおかげで，前記ブロア5は，ディスク駆動装置と一致する水平配置をもつ。
【００１５】
好ましくは直線状で，かつ回転軸からのそれぞれの放射線に対して角度を持って置かれている羽根６をこのブロアは含む。このブロア５は，気流の出口８を形成するよう，ブロアハウジング７内で，同ハウジングの内部スペースに関して中心がずれた位置に設けられている。空気取入れ口は前記ハウジング７の両側に供されており，空気は（上下）二つの軸側から同ハウジング内に吸い込まれることが出来る。空気出口８は，前記ブロア５の実質的に接線方向に導かれる。この構造により，前記ブロア５は低騒音レベルで高容量をもつことが可能である。
【００１６】
前記ブロアのハウジング7は比較的平たく，前記ディスク駆動装置のハウジング10よりもより低い高さをもつ。このブロアハウジングの一方は，ハウジング10の面の一部を形成するファンプレート9に接続されている（図3及び図4も参照）。前記ファンプレート9はブロアハウジングと一体化されてもよいし，また前記ブロアハウジング7の一つの面と同一平面であってもよい。前記ブロア5及びファンプレート9は，前記光ピックアップユニット4が位置するディスク駆動装置ハウジング10の側に供される。このファンプレートは，前記ディスク駆動装置のハウジング10へブロアを取付けるためのブロアハウジング７の取付け手段としての役目もしている。
【００１７】
図5に示されているように，前記ファンプレート9の内部は気流の案内手段，ここでは案内リブ11を持ち，対流を改善するために前記ブロアの空気出口8から出てゆく空気の流れを集中させる。同プレートの内部は更なる気流の案内手段，ここでは他の案内リブ12を有し，前記ファンプレート9からの前記気流を進路変更させる。当該案内リブ12は，前記気流に対して実質的に直交するように延在し，この気流に向き合う側で傾斜した面を持っている。この気流の進路変更により，この気流はターンテーブル3上のディスクからは遠ざけられ，光ピックアップユニット，特にその中のレーザダイオードに向かうよう導かれる。よって，前記気流は回転しているディスクと干渉することはなく，冷却が最も必要とされる場所へと導かれる。光ピックアップユニットからは，この気流は開口部13を経て前記ハウジング10の外へと導かれる。
【００１８】
DVDレコーダ等の装置のハウジングは，同装置の外部からの空気は必要無いので埃に対してシールされてもよい。前記光ピックアップユニットへの冷却気は同装置内で循環されてもよい。これゆえ，ディスク駆動装置自体は埃除けは必要としない。
【００１９】
ディスク駆動装置中の前記ブロアファンは可変回転速度をもつ能動型のファンであり得る。これは前記ブロアによって生成された騒音を更に低減する。動的動作のために，使用者はレーザダイオードの温度を検知するために光ピックアップ中に一般的に存在している温度センサを使用することが可能である。同温度センサの読取りは，それに応じたブロアの回転速度の調整に使うことが出来，よってブロア速度制御を，温度をフィードバック（パラメータ）とした閉ループ制御にしている。これは騒音汚染が最小に保たれることを保証している（レーザダイオードの温度が低いときは，前記ブロアは止めておくことさえ可能である）。
【００２０】
上記から，本発明によるディスク駆動装置及び冷却装置は，騒音レベルは低く保つことが出来，かつ設計自由度は殆ど制限されないのに，光ピックアップユニットのレーザの性能を改善するのに簡単でかつ大変効果的な手段を供すると理解されるべきである。
【００２１】
明細書及び請求項において，「a」又は「an」という表現の使用は複数の存在を排除するものではないことを書き添えるが，一方「有する」という表現は，追加の要素又は追加のステップを排除するものではない。請求項中の参照記号は，その範囲を限定するものとして解釈されるべきではない。添付の請求項中の単一のプロセッサ又はユニットは，幾つかの要素の機能を満たすことが可能である。
【００２２】
好ましい実施例において，ディスクとは光データディスクのことである。しかしながら，全ての種類の他のディスク，例えば強磁性ディスク，磁気ディスク，光磁気ディスク，近接場ディスク，活性荷電蓄積ディスク，又はこれらの技術若しくは他の読取り及び/又は他の書込みの技術を組合せた他のディスクに対してもまた本発明は使われ得ると理解されるべきである。これらの事例において，レンズ及びレーザは，冷却を必要とするかも知れない他の読取り/書込み部品によって置き換えられるであろう。
【００２３】
本発明は，図にて示された実施例，及び添付された請求項の範囲内で異なる態様に変更されることが可能なこれまで記述された実施例に限定されることはない。例えば前記ブロアは，他の位置に取り付けること，又は異なる配置で取り付けられることが可能である。このブロアは，異なるタイプのものでも良いし，気流案内手段は他の構造をもつことも可能であるし，又はディスク駆動装置の他の部品上に形成されることも可能である。
【図面の簡単な説明】
【００２４】
【図１】本発明による冷却装置をもつディスク駆動装置の好ましい実施例の切断面の立体図を示す。
【図２】図１の冷却装置の平面図を示す。
【図３】より小さな縮尺での図1のディスク駆動装置の底面の立体図を示す。
【図４】図３と同様な図であるが，しかし冷却装置を取り外した状態の図。
【図５】図１のディスク駆動装置の冷却装置のファンプレートの底面を，より大きな縮尺で描いた立体図。
【図１】
2008530722.tif 000003
【図２】
2008530722.tif 000004
【図３】
2008530722.tif 000005
【図４】
2008530722.tif 000006
【図５】
2008530722.tif 000007
【国際調査報告】
2008530722.tif 000008
2008530722.tif 000009
2008530722.tif 000010